(57)【要約】【課題】挿入が規制される対象を誤って設定することを防止する収納装置及びそれを備えた収納システムを提供することを課題とする。【解決手段】本実施例の収納装置３０は、互いに異なる形状を有した第１ユニット１０ａ、第２ユニット１０ｂを択一的に挿入可能な筐体本体３１と、初期位置、第１ユニット１０ａの挿入を許容し第２ユニット１０ｂの挿入を規制する第１位置、第２ユニット１０ｂの挿入を許容し第１ユニット１０ａの挿入を規制する第２位置、の間を移動可能に支持され、第１ユニット１０ａの挿入により初期位置から第１位置へ移動し、第２ユニット１０ｂの挿入により初期位置から第２位置へ移動するストッパ部４０と、ストッパ部４０を第１又は第２位置でロック可能なロック部５０と、を備えている。【選択図】図４
2011150488.tif 000002
【特許請求の範囲】
【請求項１】
互いに異なる形状を有した第１及び第２ユニットを択一的に挿入可能な筐体本体と、
初期位置、前記第１ユニットの挿入を許容し前記第２ユニットの挿入を規制する第１位置、前記第２ユニットの挿入を許容し前記第１ユニットの挿入を規制する第２位置、の間を移動可能に支持され、前記第１ユニットの挿入により前記初期位置から前記第１位置へ移動し、前記第２ユニットの挿入により前記初期位置から前記第２位置へ移動するストッパ部と、
前記ストッパ部を前記第１又は第２位置でロック可能なロック部と、を備えた収納装置。
【請求項２】
前記ストッパ部は、前記第１ユニットと係合して該ストッパ部を前記初期位置から前記第１位置へ案内する第１被案内部、前記第２ユニットと係合して該ストッパ部を前記初期位置から前記第２位置へ案内する第２被案内部、を含む、請求項１の収納装置。
【請求項３】
前記ストッパ部が前記第１位置にある場合には、前記第２被案内部は前記第２ユニットと係合不能となり、
前記ストッパ部が前記第２位置にある場合には、前記第１被案内部は前記第１ユニットと係合不能となる、請求項１又は２の収納装置。
【請求項４】
前記ストッパ部は、該ストッパ部が前記第１位置にある場合には前記第２ユニットと当接し、該ストッパ部が前記第２位置にある場合には前記第１ユニットと当接する当接部を含む、請求項１乃至３の何れかの収納装置。
【請求項５】
前記ストッパ部は、弾性部材により前記初期位置、前記第１位置、前記第２位置の間を移動可能に支持されている、請求項１乃至４の何れかの収納装置。
【請求項６】
前記筐体本体は、前記第１及び第２ユニットを択一的に挿入可能な第１開口部、前記第１及び第２ユニットを択一的に挿入可能な第２開口部、前記第１開口部と前記第２開口部を仕切り前記ストッパ部を収容した隔壁部、を含む、請求項１乃至５の何れかの収納装置。
【請求項７】
互いに異なる形状を有した第１及び第２ユニットを択一的に挿入可能な筐体本体、初期位置、前記第１ユニットの挿入を許容し前記第２ユニットの挿入を規制する第１位置、前記第２ユニットの挿入を許容し前記第１ユニットの挿入を規制する第２位置、の間を移動可能に支持され、前記第１ユニットの挿入により前記初期位置から前記第１位置へ移動し、前記第２ユニットの挿入により前記初期位置から前記第２位置へ移動するストッパ部、前記ストッパ部を前記第１又は第２位置でロック可能なロック部、を含む収納装置と、
前記第１又は第２ユニットと、を備えた収納システム。
【請求項８】
前記第１ユニットは、前記第１位置にある前記ストッパ部との当接を回避する第１逃げ部を含み、
前記第２ユニットは、前記第２位置にある前記ストッパ部との当接を回避する第２逃げ部を含む、を備えた請求項７の収納システム。
【請求項９】
前記ストッパ部は、前記第１ユニットと係合して該ストッパ部を前記初期位置から前記第１位置へ案内する第１被案内部、前記第２ユニットと係合して該ストッパ部を前記初期位置から前記第２位置へ案内する第２被案内部、を含み、
前記第１ユニットは、前記第１被案内部と係合する第１案内部を含み、
前記第２ユニットは、前記第２被案内部と係合する第２案内部を含む、請求項７又は８の収納システム。
【発明の詳細な説明】
【技術分野】
【０００１】
本発明は、収納装置及びそれを備えた収納システムに関する。
【背景技術】
【０００２】
複数種類のユニットを挿入可能な筐体がある。このような筐体に、特定の種類のユニットの挿入を許容しそれ以外の種類のユニットの挿入を規制するストッパ部を設けることが考えられる。特許文献１には、誤挿入を防止する装置が開示されている。
【先行技術文献】
【特許文献】
【０００３】
【特許文献１】特開２００３−２８１８５０号公報
【特許文献２】特開平０８−２５５９８８号公報
【発明の概要】
【発明が解決しようとする課題】
【０００４】
筐体に対するストッパ部の取付け位置を変更することにより、挿入の規制の対象となるユニットの種類を変更可能とすることが考えられる。しかしながら、ストッパ部を誤った位置に取付けると、本来挿入が規制されるべきではないユニットの挿入が規制されるおそれがある。このように挿入が規制される対象を誤って設定するおそれがある。
【０００５】
本発明は、挿入が規制される対象を誤って設定することを防止する収納装置及びそれを備えた収納システムを提供することを目的とする。
【課題を解決するための手段】
【０００６】
本明細書に開示の収納装置は、互いに異なる形状を有した第１及び第２ユニットを択一的に挿入可能な筐体本体と、初期位置、前記第１ユニットの挿入を許容し前記第２ユニットの挿入を規制する第１位置、前記第２ユニットの挿入を許容し前記第１ユニットの挿入を規制する第２位置、の間を移動可能に支持され、前記第１ユニットの挿入により前記初期位置から前記第１位置へ移動し、前記第２ユニットの挿入により前記初期位置から前記第２位置へ移動するストッパ部と、前記ストッパ部を前記第１又は第２位置でロック可能なロック部と、を備えている。
【０００７】
本明細書に開示の収納システムは、互いに異なる形状を有した第１及び第２ユニットを択一的に挿入可能な筐体本体、初期位置、前記第１ユニットの挿入を許容し前記第２ユニットの挿入を規制する第１位置、前記第２ユニットの挿入を許容し前記第１ユニットの挿入を規制する第２位置、の間を移動可能に支持され、前記第１ユニットの挿入により前記初期位置から前記第１位置へ移動し、前記第２ユニットの挿入により前記初期位置から前記第２位置へ移動するストッパ部、前記ストッパ部を前記第１又は第２位置でロック可能なロック部、を含む収納装置と、前記第１又は第２ユニットと、を備えている。
【発明の効果】
【０００８】
挿入が規制される対象を誤って設定することを防止する収納装置及びそれを備えた収納システムを提供できる。
【図面の簡単な説明】
【０００９】
【図１】図１Ａ、１Ｂは、本実施例の収納装置３０の説明図。
【図２】図２Ａ、２Ｂは、第１ユニットの説明図。
【図３】図３Ａ、３Ｂは、第２ユニットの説明図。
【図４】図４は、ストッパ部、ロック部の斜視図。
【図５】図５は、隔壁部の側面の一方側を示した図。
【図６】図６Ａ〜６Ｃは、初期位置から第１位置へ移動するストッパ部の説明図。
【図７】図７Ａ、７Ｂは、初期位置から第１位置へ移動するストッパ部の説明図。
【図８】図８は、ストッパ部が第１位置にある場合に第２ユニットを収納装置に挿入した場合の説明図。
【図９】図９Ａ〜９Ｃは、初期位置から第２位置へ移動するストッパ部の説明図。
【図１０】図１０Ａ、１０Ｂは、初期位置から第２位置へ移動するストッパ部の説明図。
【図１１】図１１は、ストッパ部が第２位置にある場合に第１ユニットを挿入した場合の説明図。
【図１２】図１２Ａ、１２Ｂは、ロックの解除の説明図。
【発明を実施するための形態】
【００１０】
実施例について図面を参照して説明する。
図１Ａ、１Ｂは、本実施例の収納装置３０の説明図である。図１Ａは、複数の収納装置３０を連結した状態を示している。収納装置３０は、不図示のラックと連結するための連結片３９を有している。複数の収納装置３０を共通のラックに連結することができる。複数の収納装置３０を連結した装置は、例えばサーバーやストレージなどの電子システムとして使用される。収納装置３０は、筐体本体３１、筐体本体３１に形成された２つの開口部３２、隣接した開口部３２を隔てる隔壁部３３、を含む。隔壁部３３には、詳しくは後述する操作部５１が設けられている。
【００１１】
収納装置３０には、バックプレーンＢＰが内蔵されている。図１Ａにおいて、バックプレーンＢＰを介して手前側に開口部３２が形成されている。バックプレーンＢＰを介して奥側には、例えば電源ユニットや磁気ディスク装置が収納される。開口部３２には、後述するユニットが挿入される。ユニットにはコネクタが設けられ、このコネクタを介してユニットとバックプレーンＢＰとが電気的に接続される。これにより、ユニットは、磁気ディスク装置や電源ユニットと接続される。図１Ｂは、収納装置３０を開口部３２側からみた図である。隔壁部３３内にはストッパ部４０が保持されている。ストッパ部４０は、開口部３２内にそれぞれに突出した当接部４４を有している。ストッパ部４０については後述する。
【００１２】
次に、収納装置３０に挿入されるユニットについて説明する。
図２Ａ、２Ｂは、第１ユニット１０ａの説明図である。第１ユニット１０ａは、例えば、サーバーやストレージなどの電子システム全体を制御するコントローラとしての機能するが、このような機能を有するものに限定されない。第１ユニット１０ａ内には、ＣＰＵやＲＯＭ、ＲＡＭ等の電子部品が設けられている。第１ユニット１０ａの側面には第１案内部１２ａが設けられている。図２Ａにおいては図示されていない第１ユニット１０ａの他方の側面にも、第１案内部１２ａが設けられている。第１案内部１２ａは、第１ユニット１０ａの側面から突出した形状である。第１ユニット１０ａの両側面の上部には第１逃げ部１４ａが形成されている。図２Ｂは、第１ユニット１０ａを正面から見た第１案内部１２ａ、第１逃げ部１４ａ周辺の図である。第１案内部１２ａは、第１ユニット１０ａ内に設けられた付勢部材１８ａにより第１ユニット１０ａの側面から進退自在に設けられている。第１逃げ部１４ａは、第１ユニットの側面に対して凹んだ形状である。
【００１３】
図３Ａ、３Ｂは、第２ユニット１０ｂの説明図である。
第２ユニット１０ｂは、例えば、所定の機能を切り替えるスイッチとして機能する。例えば、第１ユニット１０ａが収納装置３０内の磁気ディスク装置に対してアクセスを行う際にアクセス経路を切り替える。但し、第２ユニット１０ｂが有する機能は、このような機能に限定されない。第２ユニット１０ｂ内にも同様に電子部品が設けられている。第２ユニット１０ｂの側面にも、第２案内部１２ｂ、第２逃げ部１４ｂが形成されている。第２逃げ部１４ｂは、第２ユニット１０ｂが収納装置３０に挿入される方向に延びている。第２逃げ部１４ｂは、凹状である。第２逃げ部１４ｂは、第１ユニット１０ａの第１逃げ部１４ａよりも低い位置に形成されている。第１逃げ部１４ａと第２逃げ部１４ｂとの位置関係はこれに限定されず、両者は異なる位置に形成されていればよい。このように、第２ユニット１０ｂは、第１ユニット１０ａと異なる形状を有している。第２案内部１２ｂも同様に付勢部材１８ｂにより第２ユニット１０ｂの側面から進退自在に設けられている。収納装置３０と第１ユニット１０ａ、又は収納装置３０と第２ユニット１０ｂは、収納システムに相当する。
【００１４】
図４は、ストッパ部４０、ロック部５０の斜視図である。
ストッパ部４０、ロック部５０は、収納装置３０の隔壁部３３内に保持されている。図４では隔壁部３３は省略してある。ストッパ部４０は、平板状の可動板４１を含んでいる。可動板４１には、第１被案内部４２ａ、第２被案内部４２ｂ、可動板４１の縁に形成された第１被係合部４５ａ、第２被係合部４５ｂ、可動板４１の両面のそれぞれから突出した２つの当接部４４、を含む。
【００１５】
当接部４４は、開口部３２に挿入される第１ユニット１０ａ又は第２ユニット１０ｂの挿入方向に延びている。当接部４４は、詳しくは後述するが、第１ユニット１０ａ、又は第２ユニット１０ｂの何れか一方の挿入を規制する機能を有している。第１被係合部４５ａ、第２被係合部４５ｂは、開口部３２の入口側の縁に形成されている。第１被案内部４２ａ、第２被案内部４２ｂは、それぞれ長溝状である。第２被案内部４２ｂ、第２被係合部４５ｂは、可動板４１の上部側に形成され、第１被案内部４２ａ、第１被係合部４５ａは、可動板４１の下部側に形成されている。
【００１６】
ロック部５０は、操作部５１、被押圧部５３、腕部５４、係合部５５、付勢部材５８、を含む。操作部５１の基端は隔壁部３３内から外部に突出している。詳細には、操作部５１は、隔壁部３３内から収納装置３０の正面側に突出している。操作部５１は、隔壁部３３に押下げ可能に保持されている。操作部５１は、ピン状である。操作部５１の先端は被押圧部５３に当接している。操作部５１を押すことにより被押圧部５３が操作部５１に押される。被押圧部５３には腕部５４が連結されている。被押圧部５３は、腕部５４の基端側に設けられている。被押圧部５３は、板状である。
【００１７】
腕部５４は、被押圧部５３と先端５４１との間に軸孔５４５が形成されている。軸孔５４５は、隔壁部３３内に形成された不図示の支軸が貫通する。これにより、腕部５４は、隔壁部３３内で支軸を支点として回転可能に支持される。腕部５４の先端５４１には係合部５５が連結されている。係合部５５は、詳しくは後述するが第１被係合部４５ａ、第２被係合部４５ｂの一方と係合可能である。腕部５４が回転することにより、係合部５５と第１被係合部４５ａ、第２被係合部４５ｂとの係合状態が変化する。付勢部材５８は、係合部５５がストッパ部４０と当接するようにストッパ部４０側に付勢する。付勢部材５８は、例えばコイルスプリングである。
【００１８】
図５は、隔壁部３３の側面の一方側を示した図である。
図５の左側が開口部３２の入口側に相当し、図５の右側が開口部３２の奥側に相当する。ストッパ部４０は、隔壁部３３内で付勢部材４８ａ、４８ｂにより支持されている。付勢部材４８ａ、４８ｂは、例えばコイルスプリングである。２つの付勢部材４８ａは、可動板４１の下部の縁に連結され、２つの付勢部材４８ｂは、可動板４１の上部の縁に連結されている。また、図５は、ロック部５０にロックされていない状態のストッパ部４０を示している。この状態でのストッパ部４０の位置を初期位置と称する。
【００１９】
隔壁部３３の側面には、第１被案内部４２ａ、第２被案内部４２ｂ、当接部４４をそれぞれ露出するための露出孔３３２ａ、３３２ｂ、３３４が形成されている。ストッパ部４０が初期位置に位置する場合においては、第１被案内部４２ａ、第２被案内部４２ｂ、当接部４４は、それぞれ露出孔３３２ａ、３３２ｂ、３３４により露出される。尚、当接部４４を露出する露出孔３３４は、ストッパ部４０の移動に伴う当接部４４の移動を許容する大きさに形成されている。尚、隔壁部３３の側面の他方は、隔壁部３３の側面の一方と同様に形成されている。
【００２０】
ストッパ部４０は、付勢部材４８ａ、４８ｂにより、図５の上下方向に移動可能に支持されている。詳しくは後述するが、ストッパ部４０は、初期位置、第１ユニット１０ａの挿入を許容し第２ユニット１０ｂの挿入を規制する第１位置、第２ユニット１０ｂの挿入を許容し第１ユニット１０ａの挿入を規制する第２位置との間に移動可能に支持されている。ストッパ部４０が初期位置に位置する場合には、係合部５５は、第１被係合部４５ａ、第２被係合部４５ｂとの間の部分に当接している。
【００２１】
次に、初期位置から第１位置へ移動するストッパ部４０について説明する。
図６Ａ〜６Ｃ、７Ａ、７Ｂは、初期位置から第１位置へ移動するストッパ部４０の説明図である。尚、第１ユニット１０ａを挿入する前においてストッパ部４０が初期位置にある場合について説明する。図６Ａ〜６Ｃ、７Ａ、７Ｂにおいては、隔壁部３３の露出孔３３２ａ等は省略しており、第１ユニット１０ａは点線で示しており、第１ユニット１０ａの第１逃げ部１４ａを点線でハッチングして示している。
【００２２】
図６Ａに示すように、第１ユニット１０ａを開口部３２に挿入すると、第１案内部１２ａは隔壁部３３の側面を摺動しながら第１ユニット１０ａは開口部３２の奥側へ移動する。第１案内部１２ａは、前述したように付勢部材１８ａに連結されているので、隔壁部３３と当接した状態を維持する。第１案内部１２ａが隔壁部３３の側面を摺動しながら第１ユニット１０ａが開口部３２の奥側に移動すると、図６Ｂに示すように、第１案内部１２ａが第１被案内部４２ａの先端４２ａ１に係合する。尚、第１ユニット１０ａの第１案内部１２ａは、第２被案内部４２ｂとは係合しない。
【００２３】
第１被案内部４２ａは、ストッパ部４０が初期位置にある場合に、第１ユニット１０ａの第１案内部１２ａと係合する位置に形成されている。更に第１ユニット１０ａを挿入すると、図６Ｃに示すように第１案内部１２ａが第１被案内部４２ａ内を移動する。第１被案内部４２ａは、先端４２ａ１から基端４２ａ２にかけて湾曲している。先端４２ａ１は基端４２ａ２よりも高い位置に形成されている。このため、第１案内部１２ａが第１被案内部４２ａの先端４２ａ１から基端４２ａ２側へ移動すると、ストッパ部４０は付勢部材４８ｂの反発力、付勢部材４８ａの引張り力に抗して第１ユニット１０ａに対して上方へ移動する。これにより、付勢部材４８ｂは圧縮され、付勢部材４８ａは延びる。第１ユニット１０ａが更に挿入されて第１案内部１２ａが基端４２ａ２に到達すると、係合部５５は第１被係合部４５ａに係合する。
【００２４】
また、付勢部材５８の付勢力により係合部５５と第１被係合部４５ａとの係合が維持される。このようにしてストッパ部４０は第１位置でロック部５０によりロックされる。更に第１ユニット１０ａを挿入すると、図７Ｂに示すように、第１案内部１２ａは第１被案内部４２ａから離脱し、第１逃げ部１４ａが当接部４４を通過するように第１ユニット１０ａが移動する。この際において、当接部４４は第１逃げ部１４ａと当接しない。このように、ストッパ部４０が第１位置にある場合には第１ユニット１０ａの挿入は許容される。
【００２５】
次に、ストッパ部４０が第１位置にある場合に第２ユニット１０ｂを収納装置３０に挿入した場合について説明する。
図８は、ストッパ部４０が第１位置にある場合に第２ユニット１０ｂを収納装置３０に挿入した場合の説明図である。ストッパ部４０が第１位置にある場合に第２ユニット１０ｂを挿入すると、当接部４４が第２ユニット１０ｂの側面に当接する。即ち、当接部４４と第２ユニット１０ｂとが当接する。このように、ストッパ部４０が第１位置にある場合には第２ユニット１０ｂの挿入は規制される。
【００２６】
以上のように、ストッパ部４０が初期位置にある場合に第１ユニット１０ａを挿入することにより、ストッパ部４０を初期位置から第１位置へと移動させることができる。即ち、ストッパ部４０が初期位置にある場合に第１ユニット１０ａを挿入することにより、ストッパ部４０は第１ユニット１０ａの挿入を許容するが第２ユニット１０ｂの挿入を規制する第１位置に位置付けられる。
【００２７】
次に、初期位置から第２位置へ移動するストッパ部４０について説明する。
図９Ａ〜９Ｃ、１０Ａ、１０Ｂは、初期位置から第２位置へ移動するストッパ部４０の説明図である。図９Ａ等において、第２ユニット１０ｂの第２逃げ部１４ｂを点線でハッチングして示している。
【００２８】
図９Ａに示すように、第２ユニット１０ｂを開口部３２に挿入すると、図９Ｂに示すように、第２案内部１２ｂが第２被案内部４２ｂの先端に係合する。第２被案内部４２ｂは、ストッパ部４０が初期位置にある場合に、第２ユニット１０ｂの第２案内部１２ｂと係合する位置に形成されている。更に第２ユニット１０ｂを挿入すると、図９Ｃに示すように第２案内部１２ｂが第２被案内部４２ｂ内を移動する。第２被案内部４２ｂは、先端４２ｂ１から基端４２ｂ２にかけて湾曲している。先端４２ｂ１は基端４２ｂ２よりも低い位置に形成されている。このため、第２案内部１２ｂが先端４２ｂ１から基端４２ｂ２側へ移動すると、ストッパ部４０は付勢部材４８ａの反発力に抗して第２ユニット１０ｂに対して上方に移動する。第２ユニット１０ｂが更に挿入されて第２案内部１２ｂが第２被案内部４２ｂの基端４２ｂ２に到達すると、係合部５５は第２被係合部４５ｂに係合する。
【００２９】
また、付勢部材５８の付勢力により係合部５５と第２被係合部４５ｂとの係合が維持される。このようにしてストッパ部４０は第２位置でロック部５０によりロックされる。更に第２ユニット１０ｂを挿入すると、図１０Ｂに示すように、第２逃げ部１４ｂが当接部４４を通過するように第２ユニット１０ｂが移動する。この際において、当接部４４は第２逃げ部１４ｂと当接しない。このように、ストッパ部４０が第２位置にある場合には第２ユニット１０ｂの挿入は許容される。
【００３０】
図１１は、ストッパ部４０が第２位置にある場合に第１ユニット１０ａを挿入した場合の説明図である。
ストッパ部４０が第２位置にある場合に第１ユニット１０ａを挿入すると、当接部４４が第１ユニット１０ａの側面に当接する。即ち、当接部４４と第１ユニット１０ａとが当接する。これにより、ストッパ部４０が第２位置にある場合には、第１ユニット１０ａの挿入は規制される。
【００３１】
以上のように、ストッパ部４０が初期位置にある場合に第２ユニット１０ｂを挿入することにより、ストッパ部４０を初期位置から第２位置へと移動させることができる。即ち、ストッパ部４０が初期位置にある場合に第２ユニット１０ｂを挿入することにより、ストッパ部４０は第２ユニット１０ｂの挿入を許容するが第１ユニット１０ａの挿入を規制する第２位置に位置付けられる。
【００３２】
以上説明したように、ストッパ部４０が初期位置にある場合に収納装置３０に挿入されたユニットの種類に応じて、挿入の規制の対象が設定される。即ち、収納装置３０にユニットを挿入することにより、収納装置３０に挿入されたユニット以外の種類のユニットの挿入を規制するようにストッパ部４０が設定される。
【００３３】
例えば、筐体に対するストッパ部の取付け位置を変更することにより、挿入の規制の対象となるユニットの種類を変更可能とすることが考えられる。しかしながらこのような場合、誤った位置にストッパ部を取付けてしまうおそれがある。ストッパ部を誤った位置に取付けると、本来挿入が規制されるべきではないユニットの挿入が規制されるおそれがある。このように挿入が規制される対象を誤って設定するおそれがある。
【００３４】
本実施例の収納装置３０は、ユニットを挿入することにより、挿入されたユニット以外の種類のユニットの挿入を規制する。これにより、挿入を規制する対象を誤って設定することが防止される。
【００３５】
また、第１ユニット１０ａ、第２ユニット１０ｂの何れかを挿入することにより、ストッパ部４０は第１又は第２位置でロックされる。このため、挿入作業とストッパ部４０の設定作業を同時に行うことができる。これにより作業性が向上している。
【００３６】
次に、ロックの解除について説明する。
図１２Ａ、１２Ｂは、ロックの解除の説明図である。図１２Ａは、係合部５５と第２被係合部４５ｂとが係合してストッパ部４０が第２位置にロックされているストッパ部４０を示している。ストッパ部４０がロックされている状態において操作部５１をストッパ部４０側に押すことにより、被押圧部５３がストッパ部４０側に押される。これにより、腕部５４は所定の位置を支点として回転する。詳細には、被押圧部５３がストッパ部４０側に接近し腕部５４の先端５４１がストッパ部４０から離れるように腕部５４は回転する。腕部５４の先端５４１には係合部５５が連結されているので、このような腕部５４の回転により、係合部５５は付勢部材５８の付勢力に抗して第２被係合部４５ｂから離脱する。
【００３７】
このように係合部５５と第２被係合部４５ｂとの係合は解除され、図１２Ｂに示すように、ストッパ部４０は、付勢部材４８ａ、４８ｂの付勢力に従って係合部５５に対して上方に移動する。これにより、係合部５５は第１被係合部４５ａ、第２被係合部４５ｂの間の部分に当接してストッパ部４０は初期位置に戻る。尚、係合部５５が第１被係合部４５ａと係合してストッパ部４０が第１位置でロックされた場合においても、操作部５１を押すことによりロックが解除される。
【００３８】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３９】
収納装置３０、第１ユニット１０ａ、第２ユニット１０ｂは、それぞれ電子部品が設けられていないものであってもよい。収納装置３０には、単一の開口部３２のみが形成されていてもよい。ストッパ部４０には、すくなくとも一つの当接部４４が設けられていればよい。
【符号の説明】
【００４０】
１０ａ  第１ユニット
１０ｂ  第２ユニット
１２ａ  第１案内部
１２ｂ  第２案内部
１４ａ  第１逃げ部
１４ｂ  第２逃げ部
１８ａ、１８ｂ、４８ａ、４８ｂ、５８  付勢部材
３０  収納装置
３１  筐体本体
３２  開口部
３３  隔壁部
４０  ストッパ部
４１  可動板
４２ａ  第１被案内部
４２ｂ  第２被案内部
４４  当接部
４５ａ  第１被係合部
４５ｂ  第２被係合部
５０  ロック部
【図１】
2011150488.tif 000003
【図２】
2011150488.tif 000004
【図３】
2011150488.tif 000005
【図４】
2011150488.tif 000006
【図５】
2011150488.tif 000007
【図６】
2011150488.tif 000008
【図７】
2011150488.tif 000009
【図８】
2011150488.tif 000010
【図９】
2011150488.tif 000011
【図１０】
2011150488.tif 000012
【図１１】
2011150488.tif 000013
【図１２】
2011150488.tif 000014